(57)【要約】【課題】  突然の降雨等の天候悪化による無線リンクダウンを予め予測してその無線リンクダウンを回避可能な無線基地局を提供する。【解決手段】  受信レベル検知部１１はＧＰＳ航法信号受信装置２からの航法信号を受信すると、その受信レベルを検知する。ＯＤＵ送信出力制御部１２はその受信レベルに基づいてＯＤＵ３の送信出力の制御を行う。航法信号受信遅延検出部１３は航法信号の受信における遅延を検出し、無線リンクダウン予測部１４は航法信号の遅延検出を基に無線リンクダウンの予測を行う。予測情報受信部１５は有線または無線による他の無線基地局から無線リンクダウンの予測情報を受信する。送信電力／誤り訂正能力調節部１６は無線リンクダウンの予測情報を基にＯＤＵ３の送信電力／誤り訂正能力の調節を行い、予測情報通知部１７は無線リンクダウンの予測情報を有線または無線によって他の無線基地局に送信する。【選択図】      図２                                                  
2005268977.tif 000002
【特許請求の範囲】
【請求項１】
各々ＧＰＳ（Ｇｌｏｂａｌ  Ｐｏｓｉｔｉｏｎｉｎｇ  Ｓｙｓｔｅｍ）衛星の航法信号を受信するＧＰＳ航法受信装置を搭載しかつ各々対向する対向局に有線及び無線のうちの少なくとも一方で接続される複数の無線基地局からなる無線アクセスネットワークであって、
前記航法信号の受信レベルの変動を測定する手段と、前記航法信号の遅延を検出する手段と、その検出された航法信号の遅延を基に前記複数の無線基地局間での無線リンクダウンを検出する手段と、前記無線リンクダウンが検出された時に前記対向局側への送信出力／誤り訂正能力を調整する手段とを前記複数の無線基地局各々に有することを特徴とする無線アクセスネットワーク。
【請求項２】
前記無線基地局間でデータ送受を行う手段を前記複数の無線基地局各々に含み、前記データ送受を行う手段にて前記無線リンクダウンの検出情報を前記対向局に通知することで前記複数の無線基地局各々で前記無線リンクダウンの検出情報を共有することを特徴とする請求項１記載の無線アクセスネットワーク。
【請求項３】
リング型のネットワークにおいて、前記対向局間の無線リンクダウンを予め共有した前記航法信号の遅延情報によって判断して前記データ送受の経路を変更することを特徴とする請求項２記載の無線アクセスネットワーク。
【請求項４】
ＧＰＳ（Ｇｌｏｂａｌ  Ｐｏｓｉｔｉｏｎｉｎｇ  Ｓｙｓｔｅｍ）衛星の航法信号を受信するＧＰＳ航法受信装置を搭載しかつ対向する対向局に有線及び無線のうちの少なくとも一方で接続される無線基地局であって、
前記航法信号の受信レベルの変動を測定する手段と、前記航法信号の遅延を検出する手段と、その検出された航法信号の遅延を基に前記複数の無線基地局間での無線リンクダウンを検出する手段と、前記無線リンクダウンが検出された時に前記対向局側への送信出力／誤り訂正能力を調整する手段とを有することを特徴とする無線基地局。
【請求項５】
他局との間でデータ送受を行う手段を含み、前記データ送受を行う手段にて前記無線リンクダウンの検出情報を前記対向局に通知することで前記他局との間で前記無線リンクダウンの検出情報を共有することを特徴とする請求項４記載の無線基地局。
【請求項６】
リング型のネットワークにおいて、前記対向局間の無線リンクダウンを予め共有した前記航法信号の遅延情報によって判断して前記データ送受の経路を変更することを特徴とする請求項５記載の無線基地局。
【請求項７】
各々ＧＰＳ（Ｇｌｏｂａｌ  Ｐｏｓｉｔｉｏｎｉｎｇ  Ｓｙｓｔｅｍ）衛星の航法信号を受信するＧＰＳ航法受信装置を搭載しかつ各々対向する対向局に有線及び無線のうちの少なくとも一方で接続される複数の無線基地局からなる無線アクセスネットワークにおいて前記無線基地局間の送信出力制御を行う送信出力制御方法であって、前記複数の無線基地局各々の側に、前記航法信号の受信レベルの変動を測定するステップと、前記航法信号の遅延を検出するステップと、その検出された航法信号の遅延を基に前記複数の無線基地局間での無線リンクダウンを検出するステップと、前記無線リンクダウンが検出された時に前記対向局側への送信出力／誤り訂正能力を調整するステップとを有することを特徴とする送信出力制御方法。
【請求項８】
前記無線基地局間でデータ送受を行う際に前記無線リンクダウンの検出情報を前記対向局に通知することで前記複数の無線基地局各々で前記無線リンクダウンの検出情報を共有することを特徴とする請求項７記載の送信出力制御方法。
【請求項９】
前記無線アクセスネットワークがリング型のネットワークの場合に、前記対向局間の無線リンクダウンを予め共有した前記航法信号の遅延情報によって判断して前記データ送受の経路を変更することを特徴とする請求項８記載の送信出力制御方法。
【請求項１０】
各々ＧＰＳ（Ｇｌｏｂａｌ  Ｐｏｓｉｔｉｏｎｉｎｇ  Ｓｙｓｔｅｍ）衛星の航法信号を受信するＧＰＳ航法受信装置を搭載しかつ各々対向する対向局に有線及び無線のうちの少なくとも一方で接続される複数の無線基地局からなる無線アクセスネットワークにおいて前記無線基地局間の送信出力制御を行う送信出力制御方法のプログラムであって、コンピュータに、前記航法信号の受信レベルの変動を測定する処理と、前記航法信号の遅延を検出する処理と、その検出された航法信号の遅延を基に前記複数の無線基地局間での無線リンクダウンを検出する処理と、前記無線リンクダウンが検出された時に前記対向局側への送信出力／誤り訂正能力を調整する処理とを実行させるためのプログラム。
【発明の詳細な説明】
【技術分野】
【０００１】
本発明は無線アクセスネットワーク、無線基地局及びそれらに用いる送信出力制御方法並びにそのプログラムに関し、特にＧＰＳ（Ｇｌｏｂａｌ  Ｐｏｓｉｔｉｏｎｉｎｇ  Ｓｙｓｔｅｍ）を用いた対向方式（Ｐｏｉｎｔ−ｔｏ−Ｐｏｉｎｔ）の無線アクセスネットワークにおける無線リンクダウンの予測による回避に関する。
【背景技術】
【０００２】
従来、無線アクセスネットワークにおいては、送信出力制御として、自局とその無線対向局との間のみで、自局が受信する対向局の送信レベルをモニタし、そのモニタ結果の悪化によって送信出力制御を行うか、または手動によって送信出力の制御を行っている。
【０００３】
また、移動通信システムにおいては、降雨センサが降雨を検出した時に、その出力信号とＧＰＳ電波の誤差とから基地局及び移動機の最適な送信出力を算出する方法が提案されている（例えば、特許文献１参照）。
【０００４】
【特許文献１】特開平１０−６５５９６号公報
【発明の開示】
【発明が解決しようとする課題】
【０００５】
しかしながら、上述した従来の無線アクセスネットワークでは、送信出力レベルが低い状態での突然の降雨等によって、予期しない無線リンクダウンすることがある。
【０００６】
また、従来の無線アクセスネットワークでは、自局とその無線対向局との間だけの送信出力レベルの調整のみのため、ネットワーク全体にかかわる天候の悪化等の状況変化を動的に把握することができず、適切な対応を行うこともできないという問題がある。上記の特許文献１に記載の技術でも、ネットワーク全体にかかわる天候の悪化等の状況変化を動的に把握することができず、適切な対応を行うこともできない。
【０００７】
そこで、本発明の目的は上記の問題点を解消し、突然の降雨等の天候悪化による無線リンクダウンを予め予測してその無線リンクダウンを回避することができる無線アクセスネットワーク、無線基地局及びそれらに用いる送信出力制御方法並びにそのプログラムを提供することにある。
【課題を解決するための手段】
【０００８】
本発明による無線アクセスネットワークは、各々ＧＰＳ（Ｇｌｏｂａｌ  Ｐｏｓｉｔｉｏｎｉｎｇ  Ｓｙｓｔｅｍ）衛星の航法信号を受信するＧＰＳ航法受信装置を搭載しかつ各々対向する対向局に有線及び無線のうちの少なくとも一方で接続される複数の無線基地局からなる無線アクセスネットワークであって、
前記航法信号の受信レベルの変動を測定する手段と、前記航法信号の遅延を検出する手段と、その検出された航法信号の遅延を基に前記複数の無線基地局間での無線リンクダウンを検出する手段と、前記無線リンクダウンが検出された時に前記対向局側への送信出力／誤り訂正能力を調整する手段とを前記複数の無線基地局各々に備えている。
【０００９】
本発明による無線基地局は、ＧＰＳ（Ｇｌｏｂａｌ  Ｐｏｓｉｔｉｏｎｉｎｇ  Ｓｙｓｔｅｍ）衛星の航法信号を受信するＧＰＳ航法受信装置を搭載しかつ対向する対向局に有線及び無線のうちの少なくとも一方で接続される無線基地局であって、
前記航法信号の受信レベルの変動を測定する手段と、前記航法信号の遅延を検出する手段と、その検出された航法信号の遅延を基に前記複数の無線基地局間での無線リンクダウンを検出する手段と、前記無線リンクダウンが検出された時に前記対向局側への送信出力／誤り訂正能力を調整する手段とを備えている。
【００１０】
本発明による送信出力制御方法は、各々ＧＰＳ（Ｇｌｏｂａｌ  Ｐｏｓｉｔｉｏｎｉｎｇ  Ｓｙｓｔｅｍ）衛星の航法信号を受信するＧＰＳ航法受信装置を搭載しかつ各々対向する対向局に有線及び無線のうちの少なくとも一方で接続される複数の無線基地局からなる無線アクセスネットワークにおいて前記無線基地局間の送信出力制御を行う送信出力制御方法であって、前記複数の無線基地局各々の側に、前記航法信号の受信レベルの変動を測定するステップと、前記航法信号の遅延を検出するステップと、その検出された航法信号の遅延を基に前記複数の無線基地局間での無線リンクダウンを検出するステップと、前記無線リンクダウンが検出された時に前記対向局側への送信出力／誤り訂正能力を調整するステップとを備えている。
【００１１】
本発明による送信出力制御方法のプログラムは、各々ＧＰＳ（Ｇｌｏｂａｌ  Ｐｏｓｉｔｉｏｎｉｎｇ  Ｓｙｓｔｅｍ）衛星の航法信号を受信するＧＰＳ航法受信装置を搭載しかつ各々対向する対向局に有線及び無線のうちの少なくとも一方で接続される複数の無線基地局からなる無線アクセスネットワークにおいて前記無線基地局間の送信出力制御を行う送信出力制御方法のプログラムであって、コンピュータに、前記航法信号の受信レベルの変動を測定する処理と、前記航法信号の遅延を検出する処理と、その検出された航法信号の遅延を基に前記複数の無線基地局間での無線リンクダウンを検出する処理と、前記無線リンクダウンが検出された時に前記対向局側への送信出力／誤り訂正能力を調整する処理とを実行させている。
【００１２】
すなわち、本発明の無線アクセスネットワークは、対向方式（Ｐｏｉｎｔ−ｔｏ−Ｐｏｉｎｔ）の無線アクセスネットワークにおいて、突然の降雨等の天候悪化による無線リンクダウンを予め予測し、その無線リンクダウンを回避することを特徴としている。
【００１３】
本発明の無線アクセスネットワークでは、ネットワークを構成する各無線基地局がＧＰＳ（Ｇｌｏｂａｌ  Ｐｏｓｉｔｉｏｎｉｎｇ  Ｓｙｓｔｅｍ：全世界測位システム）衛星の航法信号を受信する装置を搭載し、その受信レベルの変動を測定する機能と、各無線基地局が無線／有線によって接続された無線基地局間でデータ送受を行う機能と、受信したＧＰＳ衛星の航法信号とその受信時間差から干渉法で、ＧＰＳ衛星の位置を計算する機能とを有している。
【００１４】
これらの機能の実装によって、本発明の無線アクセスネットワークでは、無線アクセスネットワーク内の各無線基地局同士が連携し、受信したＧＰＳ衛星の航法信号とその受信レベルとから送信出力の自動制御を行い、上記の課題を解決する。
【００１５】
より具体的に説明すると、本発明の無線アクセスネットワークでは、無線基地局にＧＰＳ航法受信装置を設置することによって、ＧＰＳ衛星とＧＰＳ航法受信装置との間に遅延が生じているかを検出する。
【００１６】
ＧＰＳ衛星とＧＰＳ航法受信装置との間で遅延が生じていると、上空に水蒸気の塊や雨雲が発生したと予測されるので、無線基地局ではその予測に基づいて予め無線対向局側への送信出力／誤り訂正能力を自動的に調整する機能を有している。
【００１７】
また、本発明の無線アクセスネットワークでは、無線基地局間において有線及び無線ネットワークの体系をとっており、各無線基地局においてＧＰＳ衛星とＧＰＳ航法受信装置との間での遅延を共有することによって、自局とその無線対向局との間だけの送信出力レベル／誤り訂正能力の調整だけではなく、ネットワーク全体にかかわる天候の悪化等の状況変化を動的に把握することが可能となり、ネットワーク全体での適切な送信出力／誤り訂正能力を自動的に調整する機能を有している。また、リング型のネットワークにおいては、無線対向局間の無線リンクダウンを予め共有した遅延情報によって判断し、経路を変更することでその無線リンクダウンを回避することが可能となる。
【００１８】
上記のように、本発明の無線アクセスネットワークでは、ＧＰＳ衛星とＧＰＳ航法受信装置との間の遅延を検出することで天候の状態を予測しているので、突然の降雨等の天候悪化による無線リンクダウンを予め予測し、その無線リンクダウンを回避することでデータ到達が可能となる。
【００１９】
これによって、本発明の無線アクセスネットワークでは、ＧＰＳ衛星とＧＰＳ航法受信装置との間の遅延を検出することで天候の状態を予測しているので、突然の降雨等の天候悪化による無線リンクダウンを予め予測して送信電力／誤り訂正能力の自動調整によって回避することが可能となる。
【００２０】
また、本発明の無線アクセスネットワークでは、ＧＰＳ衛星とＧＰＳ航法受信装置との間の遅延の情報データを各無線基地局間で共有することによって、各無線局間の無線リンクダウンのみでなく、ネットワーク全体における無線リンクダウンを予め予測して回避することが可能となる。
【００２１】
さらに、本発明の無線アクセスネットワークでは、リング構成において、予め経路設定の変更を行うことが可能となり、データが無線リンクダウンによるデータ到達の失敗を予め回避することが可能となる。
【発明の効果】
【００２２】
本発明は、以下に述べるような構成及び動作とすることで、突然の降雨等の天候悪化による無線リンクダウンを予め予測してその無線リンクダウンを回避することができるという効果が得られる。
【発明を実施するための最良の形態】
【００２３】
次に、本発明の実施例について図面を参照して説明する。図１は本発明の一実施例による無線アクセスネットワークの構成を示すブロック図である。図１において、本発明の一実施例による無線アクセスネットワークは、無線基地局１−１〜１−３０を無線または有線によって相互に接続してネットワークを形成している。
【００２４】
各無線基地局１−１〜１−３０が対向方式（Ｐｏｉｎｔ−ｔｏ−Ｐｏｉｎｔ）の無線アクセスネットワーク及び有線アクセスネットワークとして構成されている。無線基地局１−１〜１−３０は有線または無線ネットワークを使用することで、相互にデータのやり取りが行えるように構成されている。
【００２５】
図２は図１の無線基地局１−１〜１−３０の構成を示すブロック図である。図２においては、無線基地局１−１〜１−３０を無線基地局１と表示しており、無線基地局１−１〜１−３０各々の構成は無線基地局１の構成と同様である。
【００２６】
この無線基地局１にはＧＰＳ（Ｇｌｏｂａｌ  Ｐｏｓｉｔｉｏｎｉｎｇ  Ｓｙｓｔｅｍ：全世界測位システム）航法受信装置２と、ＯＤＵ（Ｏｕｔ  Ｄｏｏｒ  Ｕｎｉｔ：屋外装置）３とが接続されている。ＯＤＵ３は対向無線局（図示せず）との通信に使用され、ＧＰＳ航法受信装置２はＧＰＳ衛星（図示せず）との通信を行う。
【００２７】
また、無線基地局１は受信レベル検知部１１と、ＯＤＵ送信出力制御部１２と、航法信号受信遅延検出部１３と、無線リンクダウン予測部１４と、予測情報受信部１５と、送信電力／誤り訂正能力調節部１６と、予測情報通知部１７と、上記の各部の動作を実現するためのプログラム（コンピュータで実行可能なプログラム）を格納する記録媒体１８とから構成されている。
【００２８】
受信レベル検知部１１はＧＰＳ航法信号受信装置２からの航法信号を受信すると、その受信レベルを検知して受信レベルをＯＤＵ送信出力制御部１２に通知する。また、受信レベル検知部１１はＧＰＳ航法信号受信装置２からの航法信号を受信すると、その航法信号を航法信号受信遅延検出部１３に通知する。
【００２９】
ＯＤＵ送信出力制御部１２は受信レベル検知部１１からの受信レベルに基づいてＯＤＵ３の送信出力の制御を行う。航法信号受信遅延検出部１３は受信レベル検知部１１からの航法信号の受信における遅延を検出し、遅延を検出すると、その遅延を無線リンクダウン予測部１４に通知する。
【００３０】
ここで、ＧＰＳ航法信号受信装置２は高度約２万ｋｍの６つの円軌道を回る衛星群のうちの３つ以上の衛星が出す電波を同時に受信すると、受信した地点の位置や高度を測定しており、航法信号受信遅延検出部１３はＧＰＳ航法信号受信装置２が受信する電波の到達時間から航法信号の受信における遅延を検出する。
【００３１】
ＧＰＳ衛星から受信地点までの大気中に含まれる水蒸気が多いと、電波の到達に時間がかかることになる。したがって、航法信号受信遅延検出部１３が検出する航法信号の受信における遅延を基に、水蒸気の塊／雨雲の接近を知ることができるので、水蒸気の塊／雨雲による無線リンクダウンの予測が可能となる。
【００３２】
無線リンクダウン予測部１４は航法信号受信遅延検出部１３での遅延検出を基に無線リンクダウンの予測を行い、その無線リンクダウンの予測情報を送信電力／誤り訂正能力調節部１６と予測情報通知部１７とに通知する。予測情報受信部１５は有線または無線による他の無線基地局から無線リンクダウンの予測情報を受信すると、その予測情報を送信電力／誤り訂正能力調節部１６と予測情報通知部１７とに通知する。
【００３３】
送信電力／誤り訂正能力調節部１６は無線リンクダウン予測部１４または予測情報受信部１５からの無線リンクダウンの予測情報を受取ると、ＯＤＵ３の送信電力／誤り訂正能力の調節を行う。予測情報通知部１７は無線リンクダウン予測部１４または予測情報受信部１５から無線リンクダウンの予測情報を受取ると、その予測情報を有線または無線によって他の無線基地局に送信する。
【００３４】
図３は本発明の一実施例における対向する無線基地局とＧＰＳ衛星との関係を示す図である。図３において、１対の対向する無線基地局１−１，１−２上にはＧＰＳ衛星Ａ〜Ｆが３個ずつ存在する。
【００３５】
また、ＧＰＳ衛星Ａ〜Ｆと無線基地局１−１，１−２との間に無線基地局１−２側から無線基地局１−１側に向かい水蒸気の塊／雨雲が移動していることを示している（図３の点線部から実線部に移動）。無線基地局１−１，１−２はＧＰＳ衛星Ａ〜Ｆと通信を行い、各無線基地局１−１，１−２内で遅延データを格納している。
【００３６】
図４は図２の無線基地局１の動作を示すフローチャートであり、図５は本発明の一実施例による無線アクセスネットワークの具体的な動作を説明するための図である。これら図１〜図５を参照して本発明の一実施例による無線アクセスネットワークの動作について具体的に説明する。尚、図４に示す動作は無線基地局１が記録媒体１８のプログラムを実行することで実現される。
【００３７】
図５においては、上空から見た場合の無線アクセスネットワークの構成とその上空の水蒸気の塊／雨雲が移動していることを示している。図５において、水蒸気の塊／雨雲は無線基地局１−２１の右側で発生し（点線で示す）、無線基地局１−２０の方向に進んでいることを示している（実線で示す）。
【００３８】
無線基地局１に接続されるＧＰＳ航法信号受信装置２は主にＯＤＵ３の近くに設置され、無線基地局１に対して航法信号の受信レベルを通知するので、無線基地局１はその航法信号の受信レベルを基にＯＤＵ３の送信出力の制御を行う。
【００３９】
この場合、無線基地局１において、受信レベル検知部１１はＧＰＳ航法信号受信装置２からの航法信号の受信レベルを検知すると、その受信レベルをＯＤＵ送信出力制御部１２に通知する（図４ステップＳ１）。ＯＤＵ送信出力制御部１２はその受信レベルに基づいてＯＤＵ３の送信出力の制御を行う（図４ステップＳ２）。
【００４０】
図３においては、水蒸気の塊・雨雲が無線基地局１−２上（点線の部分）から無線基地局１−１の方向に移動したことを示している。初めの状況においては、各無線基地局１−１，１−２において水蒸気の塊・雨雲（点線部）がＧＰＳ衛星Ａ〜Ｃと無線基地局１−２との間にないため、航法信号の受信に遅延が生じることはない。
【００４１】
しかしながら、水蒸気の塊・雨雲が移動後の位置（実線部）になると、ＧＰＳ衛星Ａ〜Ｃと無線基地局１−２との間に水蒸気の塊・雨雲が発生し、無線基地局１−２に接続されたＧＰＳ航法信号受信装置２−２において航法信号の受信に遅延が生じる。
【００４２】
また、ＧＰＳ衛星Ｅ〜Ｆと無線基地局１−１との間にも水蒸気の塊・雨雲が存在しているため、無線基地局１−１に接続されたＧＰＳ航法信号受信装置２−１において航法信号の受信に遅延が生じる。
【００４３】
これによって、無線基地局１−１，１−２の間では雨による無線リンクダウンが予測されるため、ＯＤＵ３−１，３−２における送信電力／誤り訂正能力を予め自動調節し、雨による無線リンクダウンを防ぐ。
【００４４】
また、遅延データのずれの発生する順番によって水蒸気の塊・雨雲の動き（ベクトル）を予測することができるので、その予測データを図１に示すネットワークによって各無線基地局１−１〜１−３０で情報データを共有することで、対向の無線基地局１−１〜１−３０間のみでなく、ネットワーク全体での無線基地局１−１〜１−３０において送信電力／誤り訂正能力を自動調節することで、無線リンクダウンを予め防ぐことができる。
【００４５】
この場合、無線基地局１において、航法信号受信遅延検出部１３が航法信号の受信に遅延を検出すると（図４ステップＳ３）、無線リンクダウン予測部１４は遅延データのずれの発生順を基に雨による無線リンクダウンを予測し（図４ステップＳ４）、その予測情報を送信電力／誤り訂正能力調節部１６と予測情報通知部１７とに通知する。
【００４６】
また、予測情報受信部１５は有線または無線によって他の基地局からの予測情報を受信すると（図４ステップＳ５）、その予測情報を送信電力／誤り訂正能力調節部１６と予測情報通知部１７とに通知する。
【００４７】
予測情報通知部１７は無線リンクダウン予測部１４または予測情報受信部１５から無線リンクダウンの予測情報を受取ると、その予測情報を有線または無線によって他の無線基地局（隣接する無線基地局）に送信する（図４ステップＳ６）。
【００４８】
送信電力／誤り訂正能力調節部１６は無線リンクダウン予測部１４または予測情報受信部１５からの無線リンクダウンの予測情報を受取ると、その予測情報を基にＯＤＵ３の送信電力／誤り訂正能力の調節を行う（図４ステップＳ７）。無線値局１では上記の処理を処理終了となるまで（図４ステップＳ８）、繰り返し実行する。
【００４９】
図５に示すネットワーク構成において、水蒸気の塊／雨雲が無線基地局１−２１の右側の上空で発生し（点線で示す）、無線基地局１−２０の方向に移動している様（実線で示す）を示している。図５において、データ通信が無線基地局１−１から無線基地局１−１９に向けて発信される場合の経路は、「無線基地局１−１→無線基地局１−２→無線基地局１−３→無線基地局１−４→無線基地局１−１１→無線基地局１−２５→無線基地局１−２６→無線基地局１−２４→無線基地局１−２３→無線基地局１−２２→無線基地局１−２１→無線基地局１−２０→無線基地局１−１９」の経路を使用しているものとする。
【００５０】
ＧＰＳ衛星からの航法信号の遅延の情報がまず無線基地局１−２１で発生し、その後、ＧＰＳ衛星からの航法信号の遅延が無線基地局１−２０で発生する。本実施例では、この情報をネットワーク全体で共有することによって、無線基地局１−１９と無線基地局１−２０との間、無線基地局１−２１と無線基地局１−２２との間では無線リンクダウンが予測されるため、予めこの経路を通らない「無線基地局１−１→無線基地局１−２→無線基地局１−３→無線基地局１−４→無線基地局１−１１→無線基地局１−１２→無線基地局１−１３→無線基地局１−１４→無線基地局１−１５→無線基地局１−１６→無線基地局１−１７→無線基地局１−１８→無線基地局１−１９」の経路に迂回することで、ネットワークの無線リンクダウンを回避し、データ到達を可能とすることができる。
【００５１】
このように、本実施例では、ＧＰＳ衛星Ａ〜ＦとＧＰＳ航法受信装置２との間における航法信号の遅延を検出することで天候の状態を予測しているので、突然の降雨等の天候悪化による無線リンクダウンを予め予測してＯＤＵ３の送信電力／誤り訂正能力を自動調整することで、天候悪化による無線リンクダウンを回避することができる。
【００５２】
また、本実施例では、ＧＰＳ衛星Ａ〜ＦとＧＰＳ航法受信装置２との間における航法信号の遅延の情報データを各無線基地局１−１〜１−３０間で共有することによって、各無線基地局１−１〜１−３０間の無線リンクダウンのみでなく、ネットワーク全体における無線リンクダウンを予め予測してその無線リンクダウンを回避することができる。
【００５３】
さらに、本実施例では、ネットワークがリング構成の場合、無線リンクダウンの予測に応じて経路設定の変更を予め行うことが可能となり、データが無線リンクダウンによるデータ到達の失敗を予め回避することが可能となる。
【図面の簡単な説明】
【００５４】
【図１】本発明の一実施例による無線アクセスネットワークの構成を示すブロック図である。
【図２】図１の無線基地局の構成を示すブロック図である。
【図３】本発明の一実施例における対向する無線基地局とＧＰＳ衛星との関係を示す図である。
【図４】図２の無線基地局の動作を示すフローチャートである。
【図５】本発明の一実施例による無線アクセスネットワークの具体的な動作を説明するための図である。
【符号の説明】
【００５５】
１，１−１〜１−３０  無線基地局
２，２−１，２−２  ＧＰＳ航法受信装置
３，３−１，３−２  ＯＤＵ
１１  受信レベル検知部
１２  ＯＤＵ送信出力制御部
１３  航法信号受信遅延検出部
１４  無線リンクダウン予測部
１５  予測情報受信部
１６  送信電力／誤り訂正能力調節部
１７  予測情報通知部
１８  記録媒体
Ａ〜Ｆ  ＧＰＳ衛星
【図１】
2005268977.tif 000003
【図２】
2005268977.tif 000004
【図３】
2005268977.tif 000005
【図４】
2005268977.tif 000006
【図５】
2005268977.tif 000007